(57)【特許請求の範囲】
【請求項１】
周囲を覆う機枠の前面に前面枠が設置されており、その前面枠の裏面側に、基板や賞品球払出装置を備えた機構板が設置された遊技機であって、
前記機構板に、電気配線を収納するための細長な四角柱状の配線通路が設けられており、その配線通路内に、両端に取り付けたコネクタをそれぞれ基板に接続させた電気配線が収納されているとともに、その配線通路に、内部の電気配線と直交するように、かつ、配線通路を形成している隣接した２面に跨がるように、外部と連通した幅広なスリットが設けられていることを特徴とする遊技機。
【発明の詳細な説明】
【０００１】
【発明の属する技術分野】
本発明は、パチンコ機、スロットマシーン等の遊技機に関するものである。
【０００２】
【従来の技術】
遊技機の一種であるパチンコ機は、プラスチック製の部品、金属製の部品、ゴム製の部品等の種々の材質の部品によって形成されている。そして、老朽化、故障、あるいは遊技内容の陳腐化によって廃棄される場合には、通常、分解され、各部品が材質毎に分別されて、一部が焼却等の手段によって処分され、一部がリサイクル利用される。また、従来のパチンコ機は、電気配線が、機台の裏側に取り付けられた機構板の内部に、上下を縦断するように配設されており、その電気配線の両端にはコネクタが取り付けられている。そして、電気配線の両端のコネクタは、それぞれ、機構板の上端際、下端際に設置された上部中継基板、下部中継基板に接続されている。なお、上部中継基板は、パチンコ機に設置された制御装置、図柄表示装置、電飾ランプ等と接続されている。
【０００３】
【発明が解決しようとする課題】
パチンコ機は、制御装置、図柄表示装置、電飾ランプ等が電気配線によって繋がり合っているため、廃棄時に各部品を材質毎に分別する場合には、電気配線を取り外さなければならない。しかしながら、上記従来のパチンコ機は、両端に中継基板を接続した電気配線が機構板の内部に上下を縦断するように配設された構造であるため、電気配線を取り外す場合に、両端のコネクタを各中継基板から取り外して電気配線を片方から引っ張っても、他端のコネクタが引っ掛かるため引き抜くことができず、機構板を分解しなければならない。それゆえ、分別作業が非常に面倒であり、そのまま放置廃棄されることも多く、しばしば問題となっていた。
【０００４】
本発明の目的は、上記問題点を解消し、廃棄する場合における各部品の材質毎の分別作業が簡単であり、容易にリサイクルに供することができ、廃棄物処理問題の解消に貢献し得る遊技機を提供することにある。
【０００５】
【課題を解決するための手段】
本発明の構成は、周囲を覆う機枠の前面に前面枠が設置されており、その前面枠の裏面側に、基板や賞品球払出装置を備えた機構板が設置された遊技機であって、前記機構板に、電気配線を収納するための細長な四角柱状の配線通路が設けられており、その配線通路内に、両端に取り付けたコネクタをそれぞれ基板に接続させた電気配線が収納されているとともに、その配線通路に、内部の電気配線と直交するように、かつ、配線通路を形成している隣接した２面に跨がるように、外部と連通した幅広なスリットが設けられていることにある。
【０００６】
【発明の実施の形態】
以下、本発明の遊技機について、図面にしたがって詳細に説明する。
【０００７】
図１は、遊技機の一種であるパチンコ機を示したものであり、パチンコ機１は、周囲が木製の機枠２によって覆われており、その機枠２の片側縁に、木製の前面枠３が開閉自在に蝶着されている。一方、図２は、前面枠３の裏側を示したものであり、前面枠３の裏側には、合成樹脂製の遊技板収納枠４が設置されており、その遊技板収納枠４の片側縁（図２における左端縁）に、合成樹脂製の機構板５が開閉自在に蝶着されている。なお、機構板５の左側下方には、図示しない制御装置が設置されている。
【０００８】
一方、図３は、機構板５の部分断面図であり、機構板５は、上側部材６、下側部材７、右側部材８、左側部材９によって一体的に組み立てられている。そして、上側部材６には、遊技球タンク１０等が取り付けられており、下側部材７には、入賞球検出装置１１等が設置されているとともに、上カバー１３、下カバー１４が覆設されている。
【０００９】
図４、図５は、右側部材８を一部切り欠いて示したものであり、右側部材８は、略四角柱状を有しており、内側に嵌合溝１５が形成されているとともに、外側に中空の配線通路１６が形成されている。そして、内側の嵌合溝１５には、上側通路部材２４および下側通路部材２５が上下に嵌合設置されており、設置された下側通路部材２５には、賞品球払出装置１７が取り付けられている。上側通路部材２４および下側通路部材２５は、賞品球タンク１０内に貯留した遊技球を賞品球払出装置１７まで流下させるためのものである。なお、上側通路部材２４は、内側に凹部１８が形成されており、嵌合溝１５の中央よりやや上側には、嵌合溝１５の左右を縦断するように、扁平な四角柱状の凸部１９が形成されている。そして、上側通路部材２４は、凹部１８に、嵌合溝１５の凸部１９を嵌合させ、位置決めされた状態で、嵌合溝１５に設置されている。
【００１０】
加えて、右側部材８の上方には上部中継基板２０が取り付けられており、その上部中継基板２０に接続された多くの電気コードからなる電気配線２１が、配線通路１６内に集中配設された状態になっている。なお、電気配線２１は、上端にコネクタ２７が取り付けられており、そのコネクタ２７が上部中継基板２０に嵌め込み設置されることによって、上端が上部中継基板２０に接続された状態になっている。また、下側部材７の側端縁際（右側部材８の下方に位置した部位）、および下端縁際にも中空状の配線通路１２が設けられており、右側部材の配線通路１６と連通した状態になっている。そして、上部中継基板２０と接続された電気配線２１は、右側部材８の配線通路１６および下側部材７の配線通路１２を通って、機構板５の中央下部まで達している。電気配線２１は、下端にもコネクタ２７が取り付けられており、そのコネクタ２７が下部中継基板２２に嵌め込み設置されることによって、下端が下部中継基板２２に接続された状態になっている。なお、上部中継基板２０は、パチンコ機１に設置された図示しない制御装置、図柄表示装置、電飾ランプ等に接続されており、下部中継基板２２は、パチンコ機１が設置される際に外部電源と接続される。また、図３の如く、配線通路１６，１２内の電気配線２１は、扁平な帯状に束ねられている。
【００１１】
さらに、下側部材７の配線通路１２の上端際には、配線通路１２内の電気配線２１と直交するように、幅広なスリット２３が設けられている。そして、配線通路１２の内部が外部と連通した状態になっている（図３参照）。
【００１２】
一方、嵌合溝１５に形成された凸部１９は中空状に形成されているとともに、配線通路１６と連通した状態になっている。そして、配線通路１６内に配設された電気配線２１の内の一つが、凸部１９内を通って右側部材８の内側まで配設されており、その端縁が賞品球払出装置１７に接続されている。
【００１３】
パチンコ機１は、上記の如く、下側部材７の配線通路１２にスリット２３が設けられており、配線通路１２の内部が外部と連通した状態になっているため、廃棄する場合には、図６の如く、スリット２３からハサミ等を挿入し、電気配線２１を切断し、両端のコネクタ２７，２７を上部中継基板２０、下部中継基板２２から取り外し、電気配線２１を両端から引っ張ることによって、従来のパチンコ機のように機構板５を分解したりすることなく、容易に機構板５から電気配線２１を取り外すことができる（図７は、機構板５から電気配線２１を取り外した状態を示したものである）。それゆえ、容易に材料毎に分別してリサイクルに供することができる。
【００１４】
さらに、パチンコ機１は、電気配線２１が扁平な帯状に束ねられているとともに、スリット２３が電気配線２１と直交する方向に幅広に設けられているため、スリット２３からハサミ等を挿入して電気配線２１を切断する場合の切断作業が非常に容易である。
【００１５】
加えて、パチンコ機１は、機構板５の凸部１９内に賞品球払出装置１７用の電気配線２６が配設されているため、上側通路部材２４を嵌合溝１５に嵌合設置する際に、電気配線２６が引っ掛かったりせず、スムーズに嵌合装着できる。
【００１６】
なお、本発明の遊技機は、上記実施形態の態様に何ら限定されるものではなく、機枠、前面枠、遊技板収納枠、機構板、遊技球タンク、入賞球検出装置、排出球カウンタ、賞品球払出装置、上部中継基板、下部中継基板、配線等の形状、構造、材質等を必要に応じて適宜変更することができる。
【００１７】
たとえば、機構板は組み立て式のものに限定されず、一体的に形成されたものであっても良い。また、機構板に設ける配線通路の位置は、機構板の側端縁際に限定されるものではなく、機構板の上下端縁際であっても良いし、機構板の中央であっても良い。さらに、配線通路に設けるスリットの位置も、必要に応じて適宜変更することができる。場合によっては、機構板の左右を縦断するように配線通路を設けるとともに、その配線通路に、鉛直方向に幅広なスリットを設けることも可能である。
【００１８】
なお、上記実施形態においては、本発明の遊技機がパチンコ機である場合の一例について説明したが、本発明の遊技機は、パチンコ機以外のスロットマシーン等であっても良い。
【００１９】
【発明の効果】
本発明の遊技機は、機構板に、電気配線を収納するための細長な四角柱状の配線通路が設けられており、その配線通路内に、両端に取り付けたコネクタをそれぞれ基板に接続させた電気配線が収納されているとともに、その配線通路に、内部の電気配線と直交するように、かつ、配線通路を形成している隣接した２面に跨がるように、外部と連通した幅広なスリットが設けられているため、スリットからハサミ等を挿入して電気配線を切断することによって、簡単に機構板から電気配線を取り外すことができるため、廃棄する場合に容易に材料毎に分別してリサイクルに供することができる。また、スリットからハサミ等を挿入してきわめて容易に電気配線を切断することができるので、廃棄してリサイクルに供する場合の材料毎の分別が非常に容易である。
【図面の簡単な説明】
【図１】パチンコ機を示す説明図である。
【図２】前面枠の裏側を示す説明図である。
【図３】機構板を一部切り欠いて示す説明図である。
【図４】右側部材を一部切り欠いて示す説明図である。
【図５】右側部材を一部切り欠いて示す説明図である。
【図６】電気配線を切断する様子を示す説明図である。
【図７】電気配線を切断した状態を示す説明図である。
【符号の説明】
１・・パチンコ機、２・・機枠、３・・前面枠、４・・遊技板収納枠、５・・機構板、６・・上側部材、７・・下側部材、８・・右側部材、９・・左側部材、１０・・遊技球タンク、１１・・入賞球検出装置、１３・・上カバー、１４・・下カバー、１５・・嵌合溝、１６・・配線通路、１７・・賞品球払出装置、１８・・凹部、１９・・凸部、２０・・上部中継基板、２１・・電気配線、２２・・下部中継基板、２３・・スリット、２４・・上側通路部材、２５・・下側通路部材、２６・・電気配線、２７・・コネクタ。
【図１】
0003939812.tif 000002
【図２】
0003939812.tif 000003
【図３】
0003939812.tif 000004
【図４】
0003939812.tif 000005
【図５】
0003939812.tif 000006
【図６】
0003939812.tif 000007
【図７】
0003939812.tif 000008